(57)【要約】      （修正有）【課題】１回のアクションだけで、簡単にスタンドを組み立てることができ、また、簡単に折り畳むことができる卓上カレンダーを提供する。【解決手段】複数枚のカレンダー紙葉を保持するフレーム３が、前枠部４と、マチ部と、第１背面部７及び第２背面部８を係合させることによって形成される背面部と、三角錐型のスタンドと、カレンダー紙葉を下側から支持する底部とによって構成され、フレーム３を展開した状態において、第１背面部７の下部１４の外側に位置する第１三角部１５と、更にその外側に位置する第２三角部１６を、背面部の後方へ突出させることにより、三角錐型のスタンドが形成されるように構成した。【選択図】図３
0003178606.tif 000002
【実用新案登録請求の範囲】
【請求項１】
複数枚のカード型のカレンダー紙葉と、これらを保持するフレームとによって構成される卓上カレンダーであって、
フレームは、シート状の材料を、折り線に沿って折り曲げ、組み立てることによって形成されるとともに、カレンダー紙葉の最前面を表示する表示窓を有する前枠部と、フレームの厚さを確保するためのマチ部と、第１背面部及び第２背面部を係合させることによって形成される背面部と、三角錐型のスタンドと、カレンダー紙葉を下側から支持する底部とによって構成され、
フレームを展開した状態において、第１背面部の下部の外側に位置する第１三角部と、更にその外側に位置する第２三角部を、背面部の後方へ突出させることにより、三角錐型のスタンドが形成されるとともに、第２三角部の外側に位置する重合部が、第２背面部と前枠部との間に挟持されて、スタンドの突出状態が安定的に維持されるように構成されていることを特徴とする卓上カレンダー。
【請求項２】
フレームの前枠部において、表示窓の上縁と左右の両側縁を構成する位置にコの字状の切り込みが形成され、この切り込みの内側の部分を複数回折り曲げることによって、カレンダー紙葉を下側から支持する底部が形成されていること特徴とする、請求項１に記載の卓上カレンダー。
【考案の詳細な説明】
【技術分野】
【０００１】
本考案は、卓上カレンダーに関し、フレームの背面側において、自立させるためのスタンドを、引き出すだけで簡単に組み立てることができる卓上カレンダーに関する。
【背景技術】
【０００２】
従来より、自立可能なフレーム内に複数枚のカード型のカレンダー紙葉を保持させてなる卓上カレンダーが知られている。
【先行技術文献】
【特許文献】
【０００３】
【特許文献１】登録実用新案第３０６３５４１号公報
【考案の概要】
【考案が解決しようとする課題】
【０００４】
フレームを自立可能なように構成した従来の卓上カレンダーは、フレームの背面側において、縦方向に延在する折り線に沿って２枚のスタンドフラップを起立させ、更に、固定用フラップを、横方向に延在する折り線沿って起立させて、それらのフラップ同士を係合させることによってスタンドを組み立てることができるように構成されているものが多いが、より組立工数が少なく、より簡単にスタンドを組み立てることができるような卓上カレンダーが望まれている。
【課題を解決するための手段】
【０００５】
本考案に係る卓上カレンダーは、複数枚のカード型のカレンダー紙葉と、これらを保持するフレームとによって構成され、フレームは、シート状の材料を、折り線に沿って折り曲げ、組み立てることによって形成されるとともに、カレンダー紙葉の最前面を表示する表示窓を有する前枠部と、フレームの厚さを確保するためのマチ部と、第１背面部及び第２背面部を係合させることによって形成される背面部と、三角錐型のスタンドと、カレンダー紙葉を下側から支持する底部とによって構成され、フレームを展開した状態において、第１背面部の下部の外側に位置する第１三角部と、更にその外側に位置する第２三角部を、背面部の後方へ突出させることにより、三角錐型のスタンドが形成されるとともに、第２三角部の外側に位置する重合部が、第２背面部と前枠部との間に挟持されて、スタンドの突出状態が安定的に維持されるように構成されていることを特徴としている。
【０００６】
尚、フレームの前枠部において、表示窓の上縁と左右の両側縁を構成する位置にコの字状の切り込みが形成されており、この切り込みの内側の部分を複数回折り曲げることによって、カレンダー紙葉を下側から支持する底部が形成されていることが好ましい。
【考案の効果】
【０００７】
本考案に係る卓上カレンダーは、極めて少ない工程数、即ち、１回のアクションだけで、簡単にスタンドを組み立てることができ（スタンドの収納状態から自立状態へシフトでき）、また、簡単に折り畳むことができる（自立状態からスタンドの収納状態へシフトすることができる）。
【図面の簡単な説明】
【０００８】
【図１】図１は、本考案に係る卓上カレンダー１の正面図である。
【図２】図２は、本考案に係る卓上カレンダー１の背面側の斜視図である。
【図３】図３は、図１に示したフレーム３の展開図である。
【図４】図４は、図３に示したフレーム３の組み立て方法の説明図である。
【図５】図５は、図３に示したフレーム３の組み立て方法の説明図である。
【図６】図６は、図３に示したフレーム３の組み立て方法の説明図である。
【図７】図７は、図３に示したフレーム３の組み立て方法の説明図である。
【考案を実施するための形態】
【０００９】
以下、本考案を実施するための形態について説明する。図１は、本考案に係る卓上カレンダー１の正面図、図２は、その背面側の斜視図である。図示されているように、この卓上カレンダー１は、複数枚のカード型のカレンダー紙葉２と、これらのカレンダー紙葉２を保持するフレーム３とによって構成されている。
【００１０】
フレーム３は、シート状の材料（厚紙、或いは、プラスチックシート）を、折り線に沿って折り曲げ、組み立てることによって形成されており、前枠部４と、マチ部５（５ａ，５ｂ）と、背面部６と、スタンド９と、底部（図示せず）とによって構成され、図１（２）に示すように、フレーム３の上方開口部１０から、カレンダー紙葉２をフレーム３の内外へ出し入れできるようになっている。
【００１１】
前枠部４は、内部に保持したカレンダー紙葉２の最前面を表示する窓（表示窓４ａ）を有している。マチ部５は、前枠部４の左右両端においてフレーム３の厚さを確保するためのものであり、カレンダー紙葉２の両側辺をそれぞれ保持している。尚、カレンダー紙葉２は、フレーム３内において、フレーム３の底部（図示せず）によって下側から支持されている。
【００１２】
スタンド９は、フレーム３を自立させるためのものであり、図２に示すように、三角錐型の形状となっている。尚、このスタンド９は、収納状態（スタンド９を構成する部材が、背面部６と同化した状態）から、図２に示す自立状態（スタンド９を構成する部材が、背面部６から後方へ突出した状態）へ、或いは、自立状態から収納状態へ、簡単にシフトできるように構成されている。
【００１３】
図３は、フレーム３の展開図である。図示されているように、展開した状態のフレーム３は、中央の前枠部４の両外側に、所定幅のマチ部５ａ，５ｂをそれぞれ有し、更に、それらの両外側に、背面部６（図２参照）を構成する第１背面部７と、第２背面部８とを有している。
【００１４】
前枠部４には、コの字状の切り込み１１が形成されている。この切り込み１１は、前枠部４において、表示窓４ａ（図１参照）の上縁と左右の両側縁を構成する位置に形成されている。但し、表示窓４ａの下縁を構成する位置には、切り込み１１は形成されておらず、切り込み１１の内側の部分（内側部分１２）と外側の部分は、表示窓４ａの下縁を構成する位置において接続された状態となっている。尚、表示窓４ａの下縁を構成する位置には、横向きの折り線Ｌ１が形成されている。また、折り線Ｌ１からその上方へ所定間隔を置いた位置には、底部を形成するための横向きの折り線Ｌ２，Ｌ３が形成されている。
【００１５】
前枠部４とマチ部５ａとの境界には縦向きの折り線Ｌ４が形成され、マチ部５ａと第１背面部７との間には、縦向きの折り線Ｌ５が形成されている。また、前枠部４とマチ部５ｂとの境界には、縦向きの折り線Ｌ６が形成され、マチ部５ｂと第２背面部８との間には、縦向きの折り線Ｌ７が形成されている。
【００１６】
第１背面部７は、上方において、前枠部４の幅寸法の半分の幅寸法に設定された上部１３と、その下方に位置する下部１４と、下部１４の外側に位置する第１三角部１５と、更にその外側に位置する第２三角部１６と、第２三角部１６の上方に位置する重合部１７とによって構成されている。尚、上部１３の外側（マチ部５ａとは反対側）の側縁には、外側へ向かって突出する係合用突片１３ａが形成されている。
【００１７】
下部１４と第１三角部１５との境界には、上部１３の外側側縁の下端から斜め下方（前枠部４側）へ向かって延在する折り線Ｌ８が形成され、第１三角部１５と第２三角部１６との境界には、折り線Ｌ８の上端（上部１３の外側側縁の下端）から斜め下方（外側）へ向かって延在する折り線Ｌ９が形成されている。また、第２三角部１６と重合部１７との境界には、折り線Ｌ８，Ｌ９の上端から外側（前枠部４とは反対側）へ向かって延在する折り線Ｌ１０が形成されている。
【００１８】
第２背面部８は、上方において、前枠部４の幅寸法の半分の幅寸法に設定された上部１８と、その下方に位置する下部１９と、上部１８の外側（マチ部５ｂとは反対側）に形成された重合フラップ２０とによって構成されている。尚、図示されているように、第２背面部８の下部１９は、外側側縁が斜め方向へ延在するように裁断されることにより、下辺が、上部１８の上辺よりも短くなっている。また、上部１８と重合フラップ２０との境界線上には、スリット２１が形成されている。
【００１９】
図４〜図７は、フレーム３の組み立て方法の説明図である。以下、図３〜図７に沿って、フレーム３の組み立て方法について簡単に説明する。まず、図３に示した状態から、前枠部４の内側部分１２を、折り線Ｌ１に沿って谷折りし、内側部分１２が前枠部４よりも下方となるように折り返す。次に、折り線Ｌ２に沿って内側部分１２を直角に折り曲げ、更に、折り線Ｌ３に沿ってもう一度直角に折り曲げる。そうすると、図４に示すように、折り線Ｌ２，Ｌ３の間の領域によって、カレンダー紙葉２（図１参照）を支持するための底部２２が形成される。
【００２０】
続いて、マチ部５ａの両側の折り線Ｌ４，Ｌ５（図３参照）を、いずれも直角に谷折りし、図５に示すように、第１背面部７が、前枠部４の上に重なるようにし、更に、マチ部５ｂの両側の折り線Ｌ６，Ｌ７（図３参照）を、いずれも直角に谷折りし、第２背面部８が、前枠部４及び第１背面部７の第２三角部１６及び重合部１７の上に重なるようにする。
【００２１】
尚、このとき、第２背面部８の重合フラップ２０については、第１背面部７の上部１３の下側へ差し込むようにして第１背面部７と重合させ、更に、第１背面部７の上部１３の係合用突片１３ａを、第２背面部８のスリット２１内に差し込み、第１背面部７と第２背面部８との重合状態が維持されるようにして、背面部６を形成する（図６参照）。
【００２２】
そして、図６に示す状態（スタンドの収納状態）から、折り線Ｌ８（第１背面部７の下部１４と第１三角部１５との境界に形成されている折り線）を谷折りし、更に、折り線Ｌ９（第１三角部１５と第２三角部１６との境界に形成されている折り線）を山折りすることにより、第１三角部１５を立ち上げ、第２三角部１６を、第２背面部８の下から引き出して立ち上げる。そうすると、三角錐型のスタンド９が、背面部６の後方へ突出した状態（自立状態）となる。
【００２３】
尚、このとき、重合部１７（図３参照）が、第２背面部８と前枠部４の内側部分１２との間に挟持され、谷折りされる折り線Ｌ１０（図３参照）が、第２背面部８の側縁に接合することになり、背面部６の後方へ突出した三角錐型のスタンド９が安定した状態となる。
【００２４】
また、図７に示す状態（自立状態）から、第２三角部１６を第２背面部８の下側へ送り込むようにしてスタンド９を背面部６に向かって押し付けることにより、図６に示すスタンドの収納状態へ簡単にシフトすることができる。
【符号の説明】
【００２５】
１：卓上カレンダー、
２：カレンダー紙葉、
３：フレーム、
４：前枠部、
４ａ：表示窓、
５，５ａ，５ｂ：マチ部、
６：背面部、
７：第１背面部、
８：第２背面部、
９：スタンド、
１０：上方開口部、
１１：切り込み、
１２：内側部分、
１３：上部、
１３ａ：係合用突片、
１４：下部、
１５：第１三角部、
１６：第２三角部、
１７：重合部、
１８：上部、
１９：下部、
２０：重合フラップ、
２１：スリット、
２２：底部、
Ｌ１〜Ｌ１０：折り線
【図１】
0003178606.tif 000003
【図２】
0003178606.tif 000004
【図３】
0003178606.tif 000005
【図４】
0003178606.tif 000006
【図５】
0003178606.tif 000007
【図６】
0003178606.tif 000008
【図７】
0003178606.tif 000009